(57)【要約】【課題】原稿の裏面を読み取るコンタクト・イメージ・センサ（ＣＩＳ）およびＣＩＳに対抗する位置に設けられたローラの清掃・交換を容易にする。【解決手段】ＡＤＦの枠体の下面に開口部を設け、前記ローラ、ＣＩＳ、あるいはローラ・ＣＩＳ等からなる裏面読み取りユニットを前記開口部から抜き差しできるように構成する。【選択図】        図１
2004336270.tif 000002
【特許請求の範囲】
【請求項１】
原稿を光学的に走査する第１の読み取り手段と、原稿を自動的に給送する自動原稿搬送装置と、前記自動原稿搬送装置によって搬送される原稿の裏面を光学的に走査して読み取る第２の読み取り手段と、前記第２の読み取り手段の読み取り位置に対向する位置に設けられたローラと、前記ローラを着脱可能に支持する支持手段と、を有する画像読取装置において、前記自動原稿給送装置の枠体の下面に開口部を設け、前記支持手段から前記ローラを取り外すことにより、前記自動原稿搬送装置の下面から前記ローラを抜き差しできる事を特徴とする画像読取装置。
【請求項２】
前記支持手段は二つの部材からなり、二部材を結合手段によって結合させることによりローラを支持することを特徴とする、請求項第１に記載の画像読取装置。
【請求項３】
前記支持手段は、前記支持手段の持つ弾性を利用したスナップフィットによってローラを固定することを特徴とする、請求項第１に記載の画像読取装置。
【請求項４】
前記支持手段は、樹脂製の部材であることを特徴とする、請求項第３に記載の画像読取装置。
【請求項５】
前記支持手段には、前記ローラを前記第２の読み取り手段に対して押し付ける手段が設けられていることを特徴とする、請求項第１、第２、第３に記載の画像読取装置。
【請求項６】
第２の読み取り手段を着脱可能に固定する固定手段を有し、前記固定手段を取り外すことにより、前記自動原稿搬送装置の枠体の下面に設けられた前記開口部より第２の読み取り手段を抜き差しできることを特徴とする、請求項第１に記載の画像読取装置。
【請求項７】
原稿を光学的に走査する第１の読み取り手段と、原稿を自動的に給送する自動原稿搬送装置と、前記自動原稿搬送装置によって搬送される原稿の裏面を光学的に走査して読み取る第２の読み取り手段と、前記第２の読み取り手段の読み取り位置に対向する位置に設けられたローラと、前記ローラを着脱可能に支持する支持手段と、前記自動原稿給送装置の枠体の下面に設けられた開口部と、を有する画像読取装置において、前記第２の読み取り手段、前記ローラ、および前記ローラ支持手段が一つのユニットとして構成されており、前記ユニットを自動原稿搬送装置に着脱自在に固定する固定手段を取り外すことにより、前記ユニットを前記開口部から抜き差しできることを特徴とする画像読取装置。
【請求項８】
前記ローラ支持手段は前記ローラを着脱自在に支持しており、前記自動原稿搬送装置から前記ユニットを取り外したのち、前記ローラを前記ユニットから取り外せることを特徴とする、請求項第７に記載の画像読取装置。
【請求項９】
前記支持手段は二つの部材からなり、二部材を結合手段によって結合させることによりローラを支持することを特徴とする、請求項第８に記載の画像読取装置。
【請求項１０】
前記支持手段は、前記支持手段の持つ弾性を利用したスナップフィットによってローラを固定することを特徴とする、請求項第８に記載の画像読取装置。
【請求項１１】
前記支持手段は、樹脂製の部材であることを特徴とする、請求項第１０に記載の画像読取装置。
【請求項１２】
前記支持手段には、前記ローラを前記第２の読み取り手段に対して押し付ける手段が設けられていることを特徴とする、請求項第８、第９、第１０に記載の画像読取装置。
【請求項１３】
第２の読み取り手段を前記ユニットに着脱可能に固定する固定手段を有し、前記ユニットを前記自動原稿搬送装置より取り外したのち、前記固定手段を取り外すことにより、第２の読み取り手段を前記ユニットから取り外しできることを特徴とする、請求項第７および第８に記載の画像読取装置。
【発明の詳細な説明】
【０００１】
【発明の属する技術分野】
本発明は、両面原稿の読み取りが可能な自動原稿搬送装置を用いて画像を読み取る画像読取装置に関するものである。
【０００２】
【従来の技術】
従来、複写機、スキャナ、ファクシミリ装置等において、自動原稿搬送装置（ＡＤＦ：Ａｕｔｏ  Ｄｏｃｕｍｅｎｔ  Ｆｅｅｄｅｒ）により原稿を移動させながら原稿を読み取る、流し読み機能を備えた装置が知られている。ＡＤＦで原稿の裏面を読み取る方法として、表面を読み取った後原稿を反転させ、表面と同じ読み取りユニットで裏面を読み取る方法と、裏面読み取り専用の読み取りユニットを備え、原稿を反転させることなく表裏両面の読み取りを行なう方法がある。
【０００３】
裏面読み取り専用の読み取りユニットを備えたＡＤＦには、特開平１１−６９０８６号公報および特開２０００−２０１２５１号公報に開示されているように、コンタクト・イメージ・センサ（ＣＩＳ）が一般に用いられる。ＣＩＳは読み取りの際の焦点深度が浅いため、ＣＩＳの読み取り位置に対向する位置にローラを設け、ローラとＣＩＳの間を原稿が通過する際に原稿を読み取るような構成にする必要がある。このローラの輝度をＣＩＳで読み取ることにより、原稿を照らす照明の照度ムラ・読み取り素子の読み取り濃度ムラ等、ＣＩＳが持つ特性をソフト的に補正する必要があるため、ローラの表面はあらかじめ定められた輝度を持つ白色にするのが一般的である。
【０００４】
【発明が解決しようとする課題】
しかし、ＣＩＳのコンタクトガラスやローラにごみ等が付着して表面が汚れると、前述のＣＩＳの特性を補正する際に正確な補正データが得られず、画質が低下してしまうという問題がある。薄い紙の原稿を読み取る際には、原稿を透過してローラに付着したごみ等も読み取ってしまうという問題がある。また、ＣＩＳのコンタクトガラスにごみが付着したまま読み取りをおこなうと、読み取った画像に筋が出てしまう。
【０００５】
そこで、ＣＩＳのコンタクトガラスおよび白色ローラが汚れた場合には、清掃または交換しなければならない。しかし、これまでの装置はＣＩＳおよびローラを取り外すのが容易でないため、装置の中に手を入れて拭かなければならずたいへん不便であり、汚れを完全に除去するのは難しかった。また、サービスマンが市場でＣＩＳ・ローラを交換する際の作業性も低く、交換に多くの時間を必要としていた。
【０００６】
【課題を解決するための手段】
以上のような問題を解決するため、請求項１の発明では、原稿を光学的に走査する第１の読み取り手段と、原稿を自動的に給送する自動原稿搬送装置と、前記自動原稿搬送装置によって搬送される原稿の裏面を光学的に走査して読み取る第２の読み取り手段と、前記第２の読み取り手段の読み取り位置に対向する位置に設けられたローラと、前記ローラを着脱可能に支持する支持手段と、を有する画像読取装置において、前記自動原稿給送装置の下面にローラを抜き差しするための開口部を設け、前記支持手段から前記ローラを取り外すことにより、前記自動原稿搬送装置の下面から前記ローラを抜き差しできるように構成する。
【０００７】
請求項６の発明では、前記自動原稿搬送装置の下面に設けた開口部から前記ローラを取り外したのち、前記第２の読み取り手段も取り外しできるように構成する。
【０００８】
請求項７の発明では、前記自動原稿搬送装置の下面に設けた開口部から、前記ローラ、ローラ支持手段、第２の読み取り手段からなるユニットを取り外しできるように構成する。
【０００９】
請求項第８の発明では、前記ユニットを前記自動原稿搬送装置から取り外したのち、前記ローラを前記ユニットから取り外しできるように構成する。
【００１０】
請求項第１３の発明では前記ユニットを前記自動原稿搬送装置から取り外したのち、前記第２の読み取り手段を前記ユニットから取り外しできるように構成する。
【００１１】
これにより、ＣＩＳのコンタクトガラスおよび白色ローラがごみ等によって汚れた際に清掃するのが容易となり、汚れを完全に除去できるため、常に正確な補正データが得られ、画質の低下を防ぐことができる。薄い紙の原稿を読み取る際にローラの汚れが原稿を透過して読み取られることも防ぐことができる。また、ＣＩＳにごみ等が付着したまま読み取りをおこなってしまい、画像に筋が発生するのも防ぐことができる。さらに、サービスマンが市場でＣＩＳおよびローラを交換する際の作業性も向上できる。
【００１２】
【発明の実施の形態】
（第１の実施例）
図１は、本発明を適用したデジタルスキャナの概略構成を示す断面図である。１０１はスキャナ本体、２０１はこの本体に着脱自在に構成されたＡＤＦである。ＡＤＦ２０１はセットされた原稿２０２を搬送ローラ２０３〜２０８、プラテンローラ２０９および白色ローラ２１０によって搬送され、流し読みガラス１０２とプラテンローラ２０９の間を通過する間に原稿２０２の表面を、コンタクト・イメージ・センサ（ＣＩＳ）２１０と白色ローラ２１１の間を通過する間に裏面をそれぞれ光学的に走査されて読み取られる。スキャナ本体１０１は、原稿を照射する光源１０３、ミラー１０４、１０５、１０６、レンズ１０７、ＣＣＤ１０８を有し、光源１０３およびミラー１０４は第１の光学台１０９に、ミラー１０５、１０６は第２の光学台１１０にそれぞれ取り付けられている。光学台１０９、１１０はワイヤによってステッピングモータ（不図示）と結ばれ、ステッピングモータの回転により原稿台ガラス１１１と平行に移動制御される。ポジションセンサ１１２は第１の光学台１０９のホームポジションを検知するセンサであり、この位置を基準としてステッピングモータを正転、逆転することにより光学台１０９、１１０を移動して原稿台ガラス１１１上の原稿を走査する。２１２は原稿台ガラス１１１上に置かれた原稿を押さえる圧板であり、ＡＤＦ２０１の枠体に着脱可能に取り付けられている。
【００１３】
図２は白色ローラ２１１付近の拡大図である。２１３は白色ローラを支える軸受け、２１４ａ、ｂは軸受け２１３を支える支板、２１５は支板２１４ｂの回転軸、２１６は白色ローラ２１１をＣＩＳ２１０に押し付けるためのバネ、２１７は軸受け支板２１４ａ、ｂを結合させるビス、２１８は白色ローラ２１１を着脱するためにＡＤＦ２０１の枠体下面に設けられた開口部である。軸受け支板２１４ａ、ｂをビス２１４によって結合させ、軸受け２１３を固定することにより、白色ローラは軸受け支板によって支持される。バネ２１６および回転軸２１７は図示しないＡＤＦ枠体の側面に取り付けられており、軸受け支板２１４ｂはバネ・回転軸を介してＡＤＦ枠体側面に取り付けられる。また、軸受け支板２１４ｂは回転軸２１５を中心として回動可能に支持されており、バネ２１６の作用により、白色ローラ２１１をＣＩＳ２１０に対して押し付ける。原稿を搬送する際には白色ローラ２１１は、図示しない駆動機構により回転する。図２には白色ローラ２１１の片側の構成しか示さないが、反対側も同様の構成となっている。
【００１４】
このような構成で、白色ローラ２１１の清掃または交換を行なう際には、ＡＤＦ２０１の枠体から圧板２１２を取り外し、ビス２１７をはずして軸受け支板ａとｂを分離し、枠体下面に設けられた開口部２１８より白色ローラ２１１および軸受け２１３を取り外す。ローラの清掃または交換の後、切り欠き２１８より白色ローラ２１１を所定の位置に戻し、ビス２１７をもって軸受け支板２１４ａ、ｂを結合させ、軸受け２１３および白色ローラ２１１を固定する。
【００１５】
白色ローラ２１１をＣＩＳ２１０に対して押し付けるバネ２１６および回転中心となる軸２１５は設けなくても本発明の効果が失われるものではないが、様々な厚さの原稿に対応して正確な画像を得るために設けるのが望ましい。また、白色ローラ２１１をＣＩＳ２１０に押し付けるための構成は図２に示した構成に限られるものではなく、他の構成、例えば図３に示すように回転軸は設けずに、バネ３０１、３０２を軸受け支板３０３ｂに取り付け、バネ３０１、３０２の作用によって白色ローラ３０４をＣＩＳ３０５に押し付けるような構成でも同様の効果が得られる。
【００１６】
本実施例においては軸受け支板２１４ａ・ｂの結合にビスを用いたが、ビス以外の手段、たとえば軸受け支板の弾性を利用したスナップフィットで結合させるような構成でも本実施例と同様の効果を得ることができる。
【００１７】
（第２の実施例）
本実施例においては第１の実施例と基本的な構成は変わらないが、白色ローラおよび軸受けの固定を、軸受け支持部材の弾性を利用したスナップフィットで行なう。
【００１８】
図４において、４０１はＣＩＳ、４０２は白色ローラ、４０３は白色ローラを支える軸受け、４０４は軸受けを支える樹脂部材、４０５は樹脂部材の回転軸、４０６は白色ローラ４０２をＣＩＳ４０１に対して押し付けるバネ、４０７はＡＤＦの枠体に着脱可能に固定され、原稿台ガラス上におかれた原稿を押さえる圧板、４０８は白色ローラ４０２を着脱するためにＡＤＦの枠体に設けられた開口部である。回転軸４０５およびバネ４０５は図示しないＡＤＦ枠体の側面に取り付けられており、樹脂部材４０４はバネ・回転軸を介してＡＤＦ枠体側面に取り付けられる。また、樹脂部材４０４は回転軸４０５を中心として回動可能に支持されており、バネ４０６の作用により白色ローラ４０２をＣＩＳに対して押し付ける。原稿を搬送する際には白色ローラ４０２は、図示しない駆動機構により回転する。また、図３には白色ローラ４０２の片側の構成しか示さないが、反対側も同様の構成となっている。
【００１９】
このような構成で、白色ローラ４０２の清掃または交換を行なう際には、圧板４０７をＡＤＦの枠体からはずし、切り欠き４０８から白色ローラ４０２および軸受け４０３を取り外す。ローラの清掃または交換の後、再び開口部４０８から白色ローラ４０２および軸受け４０３を取り付ける。軸受け４０３の固定は樹脂部材４０４の弾性を利用したスナップフィットで行なうため、ビス等の固定部材を特に設ける必要は無く、清掃・交換の作業がより容易となる。
【００２０】
第１の実施例と同様、白色ローラ４０２をＣＩＳ４０１に対して押し付けるバネ４０６および回転中心となる軸３０５は設けなくても本発明の効果を失うものではないが、様々な厚さの原稿に対応して正確な画像を得るために設けるのが望ましい。また、白色ローラをＣＩＳに押し付けるための構成は図４に示した構成に限られるものではなく、他の構成、例えば図５に示したようにバネ５０１、５０２を軸受け支持部材５０３およびＡＤＦの枠体５０４との間に設け、バネ５０１、５０２の作用によって白色ローラ５０５をＣＩＳ５０６に押し付けるような構成でも同様の効果が得られる。
【００２１】
（第３の実施例）
本実施例においては、第１、第２の実施例と同様に白色ローラをＡＤＦの枠体下面に設けた開口部から取り外しできるように構成するとともに、ＣＩＳも開口部から取り外しできるように構成する。
【００２２】
図６において、６０１はＣＩＳ、６０２は白色ローラ、６０３は白色ローラを支える軸受け、６０４ａ、ｂは軸受けを支える支板、６０５は軸受け支板６０４の回転軸、６０６は白色ローラ６０２をＣＩＳ６０１に押し付けるためのバネ、６０７はＡＤＦの枠体、６０８はＡＤＦの枠体下面に設けられた開口部、６０９はＣＩＳ６０１をＡＤＦ枠体６０７に固定するためのビス、６１０は軸受け支板６０４ａ、ｂを結合させ、軸受け６０３を固定するビス、６１１は原稿台ガラスに置かれた原稿押さえる圧板であり、ＡＤＦの枠体下面に着脱自在に固定されている。軸受け支板６０４ａ、ｂをビス６１０によって結合させ、軸受け６０３を固定することにより、軸受け支板６０４ａ、ｂは白色ローラ６０２を支持する。バネ６０６および回転軸６０５は図示しないＡＤＦ枠体の側面および上面に取り付けられており、軸受け支板６０４ｂはバネ・回転軸を介してＡＤＦ枠体側面に取り付けられる。また、軸受け支板６０４ｂは回転軸６０５を中心として回動可能に支持されており、バネ６０６の作用により、白色ローラ６０２をＣＩＳ６０１に対して押し付ける。原稿を搬送する際には白色ローラ６０２は、図示しない駆動機構により回転する。図６には白色ローラ６０２の片側の構成しか示さないが、反対側も同様の構成となっている。
【００２３】
このような構成で、ＣＩＳ６０１および白色ローラ６０２の清掃または交換をおこなう際には、まず第１の実施例に示したように、圧板６１１をＡＤＦの枠体から外したのち、白色ローラ６０２を取り外す。その後、ＣＩＳを固定するビス６０９を取り外し、ＣＩＳ６０１をＡＤＦ枠体６０７からはずす。そしてＡＤＦ枠体下面に設けられた開口部６０８よりＣＩＳ６０１を抜き出す。ＣＩＳ６０１および白色ローラ６０２を清掃・交換後、開口部６０８から再び取り付ける。
【００２４】
白色ローラの固定方法は本実施例に示した方法に限られるものではなく、例えば本発明の第２の実施例に示したように、軸受け支時部材の弾性を利用したスナップフィットでローラを固定するような方法でも同様の効果が得られる。
【００２５】
白色ローラをＣＩＳに押し付けるための回転軸６０５およびバネ６０６は設けなくても本発明の効果が失われるものではないが、様々な厚さの原稿に対応して正確な画像を得るために設けるのが望ましい。また、白色ローラをＣＩＳに押し付ける手段は本実施例に示した方法に限られるわけではなく、第１、第２の実施例の他の構成として示したような方法によっても同様の効果が得られる。
【００２６】
（第４の実施例）
本実施例においては、第１、第２、第３の実施例と同様の開口部をＡＤＦ枠体に設け、この開口部からＣＩＳ、白色ローラ、ローラ支板からなる裏面読み取りユニットを取り外しできるように構成する。
【００２７】
図７は本実施例における白色ローラ付近の構成を示す断面図である。図７において、７０１はＣＩＳ、７０２は白色ローラ、７０３は白色ローラを支える軸受け、７０４ａ、ｂは軸受けを支える軸受け支板、７０５は軸受け支板７０４ｂの回転軸、７０６は白色ローラ７０２をＣＩＳ７０１に押し付けるバネ、７０７は裏面読み取りユニットを形成するためのステー、７０８はＡＤＦの枠体、７０９はＡＤＦの枠体７０７の下面に設けられた開口部、７１０は原稿台ガラスに置かれた原稿を押さえる圧板で、ＡＤＦの枠体７０７の下面に着脱可能に取り付けられている。
【００２８】
回転軸７０５およびバネ７０６はステー７０７に取り付けられ、軸受け支板７０４ｂは回転軸７０５、バネ７０６を介してステー７０７に取り付けられる。軸受け７０３はは軸受け支板ａ、ｂをビス７１１によって結合させることにより、軸受け支板７０４に支持され、これにより白色ローラ７０２を支持する。また、ＣＩＳ７０１はビス７１２によりステー７０７に固定される。以上により、ＣＩＳ７０１、白色ローラ７０２、軸受け７０３、軸受け支板７０４ａ・ｂ、回転軸７０５、バネ７０６がステー７０７に取り付けられ、裏面読み取りユニットを構成する。裏面読み取りユニットはビス７１３によってＡＤＦの枠体７０８に固定される。ＡＤＦによって原稿を搬送し、読み取りをおこなう際には、白色ローラ７０２は図示しない駆動機構により回転する。
【００２９】
このような構成で、ＣＩＳおよび白色ローラの清掃または交換をおこなう際には、まず圧板７１０をＡＤＦ枠体下面から取り外す。次に裏面読み取りユニットをＡＤＦの枠体７０８に固定するビス７１３を外し、開口部７０９から裏面読み取りユニットを抜き出す。ビス７１１を外して軸受け支板７０４ａ・ｂを分離させることにより白色ローラ７０２および軸受け７０３が、ビス７１２を外すことによりＣＩＳ７０１が、ステー７０７よりそれぞれ取り外される。ＣＩＳ・白色ローラの清掃または交換ののち、ビス７１１・７１２によってＣＩＳおよび白色ローラを再びステー７０７に固定し、開口部７０９より裏面読み取りユニットをＡＤＦ枠体内に差し入れ、ビス７１３によって固定する。
【００３０】
白色ローラ７０２は回転軸７０５およびバネ７０６の働きによりＣＩＳ７０１に押し付けられる。回転軸７０５、バネ７０６は設けなくても本発明の効果が失われるものではないが、様々な厚さの原稿に対応して正確な画像を得るために設けるのが望ましい。また、白色ローラ７０２をＣＩＳ７０１に押し付ける方法は本実施例に示した方法に限られるものではなく、他の方法、例えば本発明の第１、第２の実施例の他の構成として説明されているような方法でも同様の効果がえられる。
【００３１】
白色ローラを支持する手段は本実施例に示した方法に限られるものではなく、他の方法、例えば本発明の第２の実施例で説明したような方法であっても同様の効果が得られる。
【００３２】
【発明の効果】
以上説明したように本発明によれば、ＡＤＦによって搬送される原稿の裏面を読み取る第２の読み取り手段を備えたＡＤＦにおいて、第２の読み取り手段のコンタクトガラスおよび第２の読み取り手段の読み取り位置に対向する位置に設けられる白色ローラの清掃あるいは交換が容易に行なえるようになり、原稿を照らす照明の光量ムラや、読み取り手段の読み取り濃度ムラ等を補正する際に常に正しい補正データを得られるようになり、画質の低下を防ぐことができた。薄い紙の原稿を読み取る際に、ローラに付着したごみ等が原稿を透過して読み取られてしまうのを防ぐことができた。また、第２の読み取り手段のコンタクトガラスにごみが付着したまま読み取りをおこなってしまい、読み取った画像に筋が現れてしまうのを防ぐことができた。さらに、サービスマンが市場で第２の読み取り手段およびローラを交換する際の作業性も向上することができた。
【図面の簡単な説明】
【図１】本発明を実施した画像読取装置の概略構成を示す断面図。
【図２】第１の実施例におけるローラ付近の詳細な構成を示す斜視図。
【図３】第１の実施例の他の構成を示す図。
【図４】第２の実施例におけるローラ付近の詳細な構成を示す斜視図。
【図５】第２の実施例の他の構成を示す図。
【図６】第３の実施例におけるローラ付近の詳細な構成を示す斜視図。
【図７】第４の実施例におけるローラ付近の詳細な構成を示す断面図。
【符号の説明】
１０１  スキャナ本体
２０１  ＡＤＦ本体
２１０、３０５、４０１、５０６、６０１、７０１  コンタクト・イメージ・センサ（ＣＩＳ）
２１１、３０４、４０２、５０５、６０２、７０２  白色ローラ
２１２、４０７、６１１、７１０  圧板
２１３、４０３、６０３、７０３  軸受け
２１４、３０３、４０４、５０３、６０４、７０４  ローラ支持手段
２１８、４０８、６０８、７０９  ＡＤＦの下面の枠体に設けられた開口部
【図１】
2004336270.tif 000003
【図２】
2004336270.tif 000004
【図３】
2004336270.tif 000005
【図４】
2004336270.tif 000006
【図５】
2004336270.tif 000007
【図６】
2004336270.tif 000008
【図７】
2004336270.tif 000009